(57)【要約】【課題】  高度な補間技術を要することなく、記録品質の高いコンテンツを記録する。【解決手段】  ＰＣ１０は、ＨＤＤに記録している放送データを、各々が放送データの一部である複数のコンテンツ単位で録音品質を測定する。サーバ１は、各ＰＣ１０の識別情報と、コンテンツ特定情報と、録音品質とを管理し、コンテンツ特定情報で特定されるコンテンツであって最も高い録音品質のコンテンツを記録しているＰＣ１０を特定する。特定されたＰＣ１０は、コンテンツ特定情報で特定されるコンテンツをＨＤＤから読み出して、他のＰＣ１０に送信する。他のＰＣ１０は、特定されたＰＣ１０から、コンテンツ特定情報で特定されるコンテンツであって複数のＰＣ１０が保有するコンテンツの中で最も高い記録品質のコンテンツを受信し、コンテンツ特定情報で特定されるコンテンツを、受信したコンテンツに置換してＨＤＤに記録させる。【選択図】図１
2012099194.tif 000002
【特許請求の範囲】
【請求項１】
サーバと、前記サーバに接続可能でありかつ相互に接続可能な複数のコンテンツ記録装置とを備え、
前記コンテンツ記録装置が、
受信装置によって受信された放送データを記憶媒体に記録させる手段と、
前記記憶媒体に記録している放送データを、各々が放送データの一部である複数のコンテンツ単位で記録品質を測定する手段と、
前記コンテンツ記録装置の識別情報と、コンテンツ特定情報と、前記コンテンツ特定情報で特定されるコンテンツの記録品質とを前記サーバに送信する手段と、
後記特定手段によって特定されたコンテンツ記録装置から、前記コンテンツ特定情報で特定されるコンテンツであって前記複数のコンテンツ記録装置が保有する前記コンテンツの中で最も高い記録品質のコンテンツを受信する手段と、
前記コンテンツ特定情報で特定されるコンテンツを、受信したコンテンツに置換して前記記憶媒体に記録させる手段とを有し、
前記サーバが、前記コンテンツ記録装置の識別情報と、前記コンテンツ特定情報と、前記コンテンツ特定情報で特定されるコンテンツの記録品質とを、前記各コンテンツ記録装置から受信して管理する手段を有し、
前記サーバ又は前記コンテンツ記録装置が、前記コンテンツ特定情報で特定されるコンテンツであって最も高い記録品質のコンテンツを記録している前記コンテンツ記録装置を特定する特定手段を有し、
前記特定手段によって特定された前記コンテンツ記録装置が、前記コンテンツ特定情報で特定されるコンテンツを前記記憶媒体から読み出して、前記他のコンテンツ記録装置に送信する手段を有する、コンテンツ記録システム。
【請求項２】
請求項１に記載のコンテンツ記録システムにおける前記サーバであって、
前記コンテンツ記録装置の識別情報と、前記コンテンツ特定情報と、前記コンテンツ特定情報で特定されるコンテンツの記録品質とを、前記各コンテンツ記録装置から受信して管理する手段を備える、サーバ。
【請求項３】
請求項２に記載のサーバの各手段をコンピュータに実行させる、サーバプログラム。
【請求項４】
請求項１に記載のコンテンツ記録システムにおける前記コンテンツ記録装置であって、
受信装置によって受信された放送データを記憶媒体に記録させる手段と、
前記記憶媒体に記録している放送データを、各々が放送データの一部である複数のコンテンツ単位で記録品質を測定する手段と、
前記コンテンツ記録装置の識別情報と、コンテンツ特定情報と、前記コンテンツ特定情報で特定されるコンテンツの記録品質とを前記サーバに送信する手段と、
前記特定手段によって特定されたコンテンツ記録装置から、前記コンテンツ特定情報で特定されるコンテンツであって前記複数のコンテンツ記録装置が保有する前記コンテンツの中で最も高い記録品質のコンテンツを受信する手段と、
前記コンテンツ特定情報で特定されるコンテンツを、受信したコンテンツに置換して前記記憶媒体に記録させる手段とを備える、コンテンツ記録装置。
【請求項５】
請求項１に記載のコンテンツ記録システムにおける前記コンテンツ記録装置であって、
受信装置によって受信された放送データを記憶媒体に記録させる手段と、
前記記憶媒体に記録している放送データを、各々が放送データの一部である複数のコンテンツ単位で記録品質を測定する手段と、
前記コンテンツ記録装置の識別情報と、コンテンツ特定情報と、前記コンテンツ特定情報で特定されるコンテンツの記録品質とを前記サーバに送信する手段とを備える、コンテンツ記録装置。
【請求項６】
請求項４または５に記載のコンテンツ記録装置の各手段をコンピュータに実行させる、コンテンツ記録プログラム。
【請求項７】
複数のコンテンツ記録装置において、受信装置によって受信された放送データを記憶媒体に記録させるステップと、
前記各コンテンツ記録装置において、前記記憶媒体に記録している放送データを、各々が放送データの一部である複数のコンテンツ単位で記録品質を測定するステップと、
前記各コンテンツ記録装置の識別情報と、コンテンツ特定情報と、前記コンテンツ特定情報で特定されるコンテンツの記録品質とを管理するステップと、
前記複数のコンテンツ記録装置の中から、前記コンテンツ特定情報で特定されるコンテンツであって最も高い記録品質のコンテンツを記録している前記コンテンツ記録装置を特定するステップと、
前記特定されたコンテンツ記録装置から他の前記コンテンツ記録装置に、前記コンテンツ特定情報で特定されるコンテンツを送信するステップと、
前記コンテンツ特定情報で特定されるコンテンツを、前記特定されたコンテンツ記録装置から受信したコンテンツに置換して、前記記憶媒体に記録させるステップとを含む、コンテンツ記録方法。
【発明の詳細な説明】
【技術分野】
【０００１】
本発明は、コンテンツ記録システム、及び、コンテンツ記録方法に関する。
【背景技術】
【０００２】
ＰＣやＨＤＤレコーダ等のコンテンツ記録装置は、ラジオ（ＦＭ／ＡＭ）チューナによって受信されたラジオ放送データを、ＨＤＤ（又はブルーレイディスク）等の記憶媒体に録音コンテンツとして記録する。ラジオ放送データを常に良好な電界強度でチューナが受信できるとは限らず、受信したラジオ放送データにノイズが混入する場合には、記憶媒体に記録した録音コンテンツにノイズが含まれてしまう。なお、ＴＶチューナによってＴＶ放送データを受信して記憶媒体に記録する場合にも同様の問題が生じる。
【０００３】
下記特許文献１には、以下の内容が記載されている。再生装置１０において、音割れ区間検出部１３は、記録媒体１１上の信号の音割れ区間を検出し、音割れ区間修復部１４は、例えばその音割れ区間を波形が欠落した信号として考え、その信号欠落区間を補間技術によって補間する。コンプレッション部１５は、音割れが修復された信号に対してコンプレッション処理を行い、コンプレッション処理後の信号を音割れ修復部１２の出力信号として出力する。
しかし、この技術によると高度な補間技術が必要であり、ＣＰＵの負荷が増大する。
【先行技術文献】
【特許文献】
【０００４】
【特許文献１】特開２００５−１００５９８号公報
【発明の概要】
【発明が解決しようとする課題】
【０００５】
本発明の目的は、高度な補間技術を要することなく、記録品質の高いコンテンツを記録することができるコンテンツ記録システムを提供することである。
【課題を解決するための手段】
【０００６】
本発明の好ましい実施形態によるコンテンツ記録システムは、サーバと、前記サーバに接続可能でありかつ相互に接続可能な複数のコンテンツ記録装置とを備え、前記コンテンツ記録装置が、受信装置によって受信された放送データを記憶媒体に記録させる手段と、前記記憶媒体に記録している放送データを、各々が放送データの一部である複数のコンテンツ単位で記録品質を測定する手段と、前記コンテンツ記録装置の識別情報と、コンテンツ特定情報と、前記コンテンツ特定情報で特定されるコンテンツの記録品質とを前記サーバに送信する手段と、後記特定手段によって特定されたコンテンツ記録装置から、前記コンテンツ特定情報で特定されるコンテンツであって前記複数のコンテンツ記録装置が保有する前記コンテンツの中で最も高い記録品質のコンテンツを受信する手段と、前記コンテンツ特定情報で特定されるコンテンツを、受信したコンテンツに置換して前記記憶媒体に記録させる手段とを有し、前記サーバが、前記コンテンツ記録装置の識別情報と、前記コンテンツ特定情報と、前記コンテンツ特定情報で特定されるコンテンツの記録品質とを、前記各コンテンツ記録装置から受信して管理する手段を有し、前記サーバ又は前記コンテンツ記録装置が、前記コンテンツ特定情報で特定されるコンテンツであって最も高い記録品質のコンテンツを記録している前記コンテンツ記録装置を特定する特定手段を有し、前記特定手段によって特定された前記コンテンツ記録装置が、前記コンテンツ特定情報で特定されるコンテンツを前記記憶媒体から読み出して、前記他のコンテンツ記録装置に送信する手段を有する。
【０００７】
コンテンツ記録装置は、記憶媒体に記録している放送データを、各々が放送データの一部である複数のコンテンツ単位で記録品質を測定する。各コンテンツ記録装置は、コンテンツ記録装置の識別情報と、コンテンツ特定情報と、コンテンツ特定情報で特定されるコンテンツの記録品質とをサーバに送信し、サーバはこれを管理する。サーバ又はコンテンツ記録装置は、コンテンツ特定情報で特定されるコンテンツであって最も高い記録品質のコンテンツを記録しているコンテンツ記録装置を特定する。特定されたコンテンツ記録装置は、コンテンツ特定情報で特定されるコンテンツを記憶媒体から読み出して、他のコンテンツ記録装置に送信する。他のコンテンツ記録装置は、特定されたコンテンツ記録装置から、コンテンツ特定情報で特定されるコンテンツであって複数のコンテンツ記録装置が保有するコンテンツの中で最も高い記録品質のコンテンツを受信し、コンテンツ特定情報で特定されるコンテンツを、受信したコンテンツに置換して記憶媒体に記録させる。従って、高度な補間技術を要することなく、記録品質の高いコンテンツを記録することができる。
【０００８】
本発明の好ましい実施形態によるコンテンツ記録方法は、複数のコンテンツ記録装置において、受信装置によって受信された放送データを記憶媒体に記録させるステップと、前記各コンテンツ記録装置において、前記記憶媒体に記録している放送データを、各々が放送データの一部である複数のコンテンツ単位で記録品質を測定するステップと、前記各コンテンツ記録装置の識別情報と、コンテンツ特定情報と、前記コンテンツ特定情報で特定されるコンテンツの記録品質とを管理するステップと、前記複数のコンテンツ記録装置の中から、前記コンテンツ特定情報で特定されるコンテンツであって最も高い記録品質のコンテンツを記録している前記コンテンツ記録装置を特定するステップと、前記特定されたコンテンツ記録装置から他の前記コンテンツ記録装置に、前記コンテンツ特定情報で特定されるコンテンツを送信するステップと、前記コンテンツ特定情報で特定されるコンテンツを、前記特定されたコンテンツ記録装置から受信したコンテンツに置換して、前記記憶媒体に記録させるステップとを含む。
【発明の効果】
【０００９】
本発明によると、高度な補間技術を要することなく、記録品質の高いコンテンツを記録することができる。
【図面の簡単な説明】
【００１０】
【図１】本発明の好ましい実施形態によるコンテンツ記録システムを示すブロック図である。
【図２】キューシートを示す図である。
【図３】ＰＣ１０Ａで管理される録音管理ＤＢを示す図である。
【図４】ＰＣ１０Ｂで管理される録音管理ＤＢを示す図である。
【図５】ＰＣ１０Ｃで管理される録音管理ＤＢを示す図である。
【図６】サーバ１で管理される録音管理ＤＢを示す図である。
【図７】コンテンツ記録システムの動作を示すフローチャートである。
【図８】コンテンツ記録システムの動作を示すフローチャートである。
【図９】コンテンツ記録システムの動作を示すフローチャートである。
【図１０】コンテンツ記録システムの動作を示すフローチャートである。
【図１１】コンテンツ記録システムの動作を示すフローチャートである。
【図１２】コンテンツ記録システムの動作を示すフローチャートである。
【図１３】コンテンツ記録システムの動作を示すフローチャートである。
【発明を実施するための形態】
【００１１】
以下、本発明の好ましい実施形態について、図面を参照して具体的に説明するが、本発明はこれらの実施形態には限定されない。
【００１２】
図１は、本発明の好ましい実施形態によるコンテンツ記録システムを示すブロック図である。コンテンツ記録システムは、サーバ１と、コンテンツ記録装置の一例である複数のＰＣ（パーソナルコンピュータ）１０Ａ、１０Ｂ、１０Ｃとを含む。これらは、インターネット等の任意の電気通信回線を介して相互に接続されている。放送データは、ラジオ（ＦＭ／ＡＭ／ＩＰ）放送データ、ＴＶ（地上波／衛星／ケーブル）放送データ等であるが、本例ではラジオ放送データを例に説明する。従って、「放送データの記録」のことを「放送データの録音」として説明する。
【００１３】
各ＰＣ１０は、受信装置（チューナ）によって受信された放送データを記憶媒体（例えばＨＤＤ）に記録させる。各ＰＣ１０は、ＨＤＤに記録している放送データを、各々が放送データの一部である複数のコンテンツ単位で記録品質（録音品質）を測定する。各ＰＣ１０は、ＰＣ１０の識別情報と、コンテンツ特定情報と、コンテンツ特定情報で特定されるコンテンツの記録品質とをサーバ１に送信する。
【００１４】
サーバ１は、各ＰＣ１０の識別情報と、コンテンツ特定情報と、コンテンツ特定情報で特定されるコンテンツの記録品質とを受信して、管理する。サーバ１（又は、各ＰＣ１０）は、コンテンツ特定情報で特定されるコンテンツであって最も高い記録品質のコンテンツを記録しているＰＣ１０を特定する。
【００１５】
特定されたＰＣ１０は、コンテンツ特定情報で特定されるコンテンツをＨＤＤから読み出して、他のＰＣ１０に送信する。他のＰＣ１０は、特定されたＰＣ１０から、コンテンツ特定情報で特定されるコンテンツであって複数のＰＣ１０が保有するコンテンツの中で最も高い記録品質のコンテンツを受信し、コンテンツ特定情報で特定されるコンテンツを、受信したコンテンツに置換してＨＤＤに記録させる。従って、高度な補間技術を要することなく、記録品質の高いコンテンツを記録することができる。以下、詳細に説明する。
【００１６】
ＰＣ１０Ａ（ＰＣ１０Ｂ、ＰＣ１０Ｃも同様であるので、説明を援用する。）は、制御部１１と、メモリ（ＲＯＭ、ＲＡＭ等）１２と、ＨＤＤ１３等の記憶媒体と、チューナ１４と、再生部１５と、操作部１６と、表示部１７と、通信部１８とを備える。なお、ＨＤＤ１３を内蔵せずに、ブルーレイディスク、フラッシュメモリ等の可搬型記憶媒体を駆動するための駆動装置を備えていてもよい。また、チューナ１４、操作部１６、表示部１７もＰＣ１０Ａの外部に接続可能なものでもよい。
【００１７】
制御部１１は、ＲＯＭ又はＨＤＤ１３に記録されているプログラムをＲＡＭに読み出して実行することによって、ＰＣ１０Ａの各部を制御するものであり、マイコンやＣＰＵ等である。
【００１８】
チューナ１４は、放送データを受信し、受信した放送データをＨＤＤ１３に供給する。ＨＤＤ１３は、チューナ１４によって受信された放送データを記録する。
【００１９】
ＨＤＤ１３に記録される放送データは、所定のサイズ毎に分割された放送データファイルとして記録される。放送データファイル毎に、位置情報（ＨＤＤ１３上のアドレス情報）に対応付けて、放送日時（録音日時）の情報がテーブルによって管理されている。放送データファイルから放送日時を特定して放送データを抽出するためである。
【００２０】
ＨＤＤ１３には図２に示すキューシートが保存されている。キューシートは例えばサーバ１の管理者によって作成され、サーバ１からインターネット経由で取得される。また、サーバ１とは異なる専用のキューシートサーバからキューシートを取得してもよい。キューシートは、放送データに含まれるコンテンツを特定するための情報である。キューシートには、放送日時（放送開始時刻および放送終了時刻）に対応付けて、コンテンツのコンテンツ情報が記述されている。図２を参照すると、コンテンツａ１は、放送局Ａが２０１０年１０月１日１５時００分〜１５時１０分に放送したことを示している。例えば、コンテンツが音楽である場合には、コンテンツ情報は曲名、アーティスト名等を含む。キューシートは、放送データファイルの中からコンテンツを抽出するために使用される。
【００２１】
図１に戻って、再生部１５は、ＨＤＤ１３に記録されている放送データファイルの中から、キューシートから選択されたコンテンツに対応する部分のデータを抽出して、再生（デコード等）する。再生部１５によって再生された放送データは、図示しないアンプで増幅され、図示しないスピーカーから音声が出力される。
【００２２】
操作部１６は、ユーザ操作を受け付けるものであり、ＰＣの筐体に設けられた操作ボタン、マウス、キーボード、および／または、リモコン送受信機等である。表示部１７は、選択されたコンテンツに関するコンテンツ情報や、選択されている放送局名等を表示する。通信部１８は、インターネット経由でサーバ１や他のＰＣ１０Ｂと通信し、コマンドやデータを送受信する。
【００２３】
ＨＤＤ１３には、図３〜図５に示す録音管理データベース（以下、「録音管理ＤＢ」という。）が格納されている。図３はＰＣ１０Ａが格納する録音管理ＤＢであり、図４はＰＣ１０Ｂが格納する録音管理ＤＢ、図５はＰＣ１０Ｃが格納する録音管理ＤＢである。録音管理ＤＢは、キューシートで特定されるコンテンツ単位でその録音レベルを管理するものである。録音管理ＤＢは、放送局情報（例えば放送局名）、コンテンツ特定情報（例えば、コンテンツ情報、放送開始時刻および放送終了時刻）に対応付けて、録音品質が登録されている。
【００２４】
録音品質は、録音されている放送データのノイズの少なさ（ＳＮ比の高さ）を示す値であり、一例としてレベル５〜レベル１の５段階で表され、レベル５が最も録音品質が高く、レベル１が最も録音品質が低い。録音品質は、例えば、キューシートに記述されている各コンテンツを放送データファイルから抽出して、周知の技術を用いてＳＮ比を測定し、コンテンツの全再生時間に対する、ＳＮ比が所定の閾値以上である時間の比率に基づいて決定されるとよい。
【００２５】
制御部１１は、キューシートに記述されている各コンテンツについて録音品質を測定し、録音管理ＤＢにコンテンツ特定情報に対応付けて登録する。制御部１１は、自身の識別情報と、コンテンツ特定情報と、コンテンツ特定情報で特定されるコンテンツの録音品質とを、サーバ１に送信する。制御部１１は、コンテンツ情報で特定されるコンテンツで、最も高い録音品質のコンテンツを保有するＰＣ１０からコンテンツを受信して、自身が保有するコンテンツと置換してＨＤ１３に記録させる。
【００２６】
サーバ１は、制御部２、メモリ（ＲＯＭ、ＲＡＭ等）３と、ＨＤＤ４等の記憶媒体と、通信部５とを備える。制御部１１は、ＲＯＭ又はＨＤＤ４に記録されているプログラムをＲＡＭに読み出して実行することによって、サーバ１の各部を制御するものであり、マイコンやＣＰＵ等である。通信部５は、インターネット経由でＰＣ１０Ａ、１０Ｂの制御部１１と通信し、コマンドやデータを送受信する。
【００２７】
ＨＤＤ４には、図６に示す録音管理ＤＢが格納されている。録音管理ＤＢは、キューシートで特定されるコンテンツ単位で、各ＰＣ１０が保有するコンテンツの録音レベルを管理するものである。録音管理ＤＢは、放送局情報（例えば放送局名）、コンテンツ特定情報（例えば、コンテンツ情報、放送開始時刻および放送終了時刻）に対応付けて、ＰＣ１０毎に録音品質が登録されている。
【００２８】
制御部２は、ＰＣ１０の識別情報と、コンテンツ特定情報と、コンテンツ特定情報で特定されるコンテンツの録音品質とをＰＣ１０から受信し、録音管理ＤＢに登録する。制御部２は、ＰＣ１０からコンテンツ特定情報を受信すると、コンテンツ特定情報で特定されるコンテンツであって、最も録音品質の高いコンテンツを保有するＰＣ１０を録音管理ＤＢを参照して特定する。
【００２９】
以上の構成を有するコンテンツ記録システムの動作について図面を参照して詳細に説明する。図７、図８は、ＰＣ１０が放送データを録音し、コンテンツ毎に録音品質を測定し、サーバ１の録音管理ＤＢに録音品質を登録する処理を示すフローチャートである。
【００３０】
各ＰＣ１０（例えばＰＣ１０Ａ）の制御部１１は、ユーザ操作に応じて、チューナ１４によって受信された放送データをＨＤＤ１３に録音させる（Ｓ１０１）。このとき、放送データファイルの位置情報に対応付けて、放送日時（録音日時）及び放送局情報がテーブルに登録される。
【００３１】
制御部１１は、インターネット経由でサーバ１に接続し、サーバ１からキューシートを取得し、メモリ１２にキューシートを保存する（１０２）。制御部１１は、キューシートで特定されるコンテンツ単位で、放送データファイルからコンテンツを抽出することによって、コンテンツの録音品質を測定する（Ｓ１０３）。制御部１１は、測定した録音品質をコンテンツ特定情報に対応付けて録音管理ＤＢに登録する（Ｓ１０３）。
【００３２】
例えば、図２のキューシートにおいてコンテンツａ１のコンテンツが放送データファイルから抽出され（２０１０年１０月１日１５時００分〜１５時１０分の放送局Ａの放送データ部分が抽出され）、録音品質が測定される。そして、図３の録音管理ＤＢに示すように、コンテンツａ１について、録音品質がレベル１と登録される。
【００３３】
制御部１１は、ＰＣ１０Ａの識別情報（予めメモリに登録されている）と、コンテンツ特定情報（放送局情報、コンテンツ情報、放送開始日時および放送終了日時）と、録音品質とをインターネット経由でサーバ１に送信する（Ｓ１０４）。
【００３４】
図８に示すとおり、サーバ１の制御部２は、ＰＣ１０から、ＰＣ１０の識別情報と、コンテンツ特定情報と、録音品質とをインターネット経由で受信したか否かを判断している（Ｓ２０１）。受信した場合（Ｓ２０１でＹＥＳ）、制御部２は、コンテンツ特定情報と、ＰＣ１０の識別情報とに対応付けて、録音品質を録音管理ＤＢに登録する（Ｓ２０２）。例えば、図６に示すように、コンテンツａ１のＰＣ１０Ａの録音品質として、レベル１が登録される。
【００３５】
図９〜図１１は、ＰＣ１０Ａが保有するコンテンツを、各ＰＣ１０が保有するコンテンツの中で最も録音品質の高いコンテンツに置換する処理を示す。ＰＣ１０Ａの制御部１１は、自身の識別情報と、コンテンツ特定情報（放送局情報、コンテンツ情報、放送開始日時および放送終了日時）とをサーバ１に送信し、録音品質が最も高いコンテンツを保有するＰＣ１０の情報を送信するように要求する（Ｓ１１１）。例えば、コンテンツ特定情報として、図３を参照し、放送局Ａ、コンテンツａ１、放送日時２０１０年１０月１日１５時００分〜１５時１０分が選択される。
【００３６】
サーバ１の制御部２は、ＰＣ１０Ａから、ＰＣ１０Ａの識別情報と、コンテンツ特定情報とを受信し、録音品質が最も高いコンテンツを保有するＰＣ１０の情報の送信要求を受信する（Ｓ２１１）。制御部２は、録音管理ＤＢを参照し、受信した識別情報で特定されるＰＣ（ＰＣ１０Ａ）よりも高い録音品質の当該コンテンツを保有するＰＣ１０が存在するか否かを判断する（Ｓ２１２）。
【００３７】
ＰＣ１０Ａよりも高い録音品質の当該コンテンツを保有するＰＣ１０が存在しない場合（Ｓ２１２でＮＯ）、制御部２は、録音品質がＰＣ１０Ａよりも高いコンテンツを保有するＰＣ１０が存在しない旨の情報をインターネット経由でＰＣ１０Ａに送信する（Ｓ２１４）。
【００３８】
一方、ＰＣ１０Ａよりも高い録音品質の当該コンテンツを保有するＰＣ１０が存在する場合（Ｓ２１２でＹＥＳ）、制御部２は、録音管理ＤＢを参照し、コンテンツ特定情報で特定されるコンテンツであって最も録音品質の高いコンテンツを保有するＰＣ１０を特定する（Ｓ２１３）。制御部２は、特定したＰＣ１０のネットワーク上のアドレス情報（例えばＵＲＬ）をＰＣ１０Ａに送信する（Ｓ２１３）。各ＰＣ１０のＵＲＬは予めサーバ１のメモリ３やＨＤＤ４に管理されている。
【００３９】
例えば、図６の録音管理ＤＢを参照し、ＰＣ１０Ａから送信されたコンテンツ特定情報がコンテンツａ１である場合、ＰＣ１０Ａの録音品質がレベル１、ＰＣ１０Ｂの録音品質がレベル５、ＰＣ１０Ｃの録音品質がレベル２である。従って、録音品質が最も高いコンテンツａ１を保有するＰＣ１０はＰＣ１０Ｂであることが特定され、ＰＣ１０ＢのＵＲＬがＰＣ１０Ａに送信される。
【００４０】
ＰＣ１０Ａの制御部１１は、コンテンツ特定情報で特定されるコンテンツであって最も録音品質の高いコンテンツを保有するＰＣ１０のＵＲＬをサーバ１から受信したか否かを判断している（Ｓ１１２）。受信しない場合（Ｓ１１２でＮＯ）、つまり、ＰＣ１０Ａよりも高い録音品質の当該コンテンツを保有するＰＣ１０が存在しない旨の情報を受信した場合、処理を終了する。ＰＣ１０Ａのコンテンツの録音品質が他のＰＣ１０のコンテンツの録音品質よりも高いので、他のＰＣのコンテンツを取得して置換する必要がないからである。
【００４１】
一方、コンテンツ特定情報で特定されるコンテンツであって最も録音品質の高いコンテンツを保有するＰＣ１０のＵＲＬをサーバ１から受信した場合（Ｓ１１２でＹＥＳ）、制御部１１は、受信したＵＲＬにアクセスし、他のＰＣ１０（ここではＰＣ１０Ｂ）に、コンテンツ特定情報（放送局情報、コンテンツ情報、放送開始日時および放送終了日時）をインターネット経由で送信し、当該コンテンツを送信するように要求する（Ｓ１１３）。
【００４２】
図１１に示すように、ＰＣ１０Ｂの制御部１１は、ＰＣ１０Ａからコンテンツ特定情報を受信し、当該コンテンツの送信要求を受信する（Ｓ１２１）。ＰＣ１０Ｂの制御部１１は、受信したコンテンツ特定情報に対応するコンテンツを放送データファイルから抽出し、インターネット経由でＰＣ１０Ａに送信する（Ｓ１２２）。詳細には、コンテンツ特定情報が、放送局Ａ、コンテンツａ１、放送日時２０１０年１０月１日１５時００分〜１５時１０分であれば、放送データファイルからこの放送データに対応するデータ部分が抽出されて、ＰＣ１０Ａに送信される。
【００４３】
図９に示すように、ＰＣ１０Ａの制御部１１は、ＰＣ１０Ｂから、要求したコンテンツを受信して、ＨＤＤ１３に記録している放送データファイルのうち、当該コンテンツの部分を受信したコンテンツに置換して記録する（Ｓ１１４）。詳細には、コンテンツ特定情報が、放送局Ａ、コンテンツａ１、放送日時２０１０年１０月１日１５時００分〜１５時１０分である場合、制御部１１は、放送データファイルのうち、コンテンツ特定情報で特定されるコンテンツのデータ部分を、受信したコンテンツに置換して記録する。
【００４４】
以上の処理によって、ＨＤＤ１３に録音した放送データについて、キューシートに記述されているコンテンツ単位で録音品質が最も高いコンテンツを他のＰＣ１０から取得し、置換して記録することによって、録音されている放送データ全体の録音品質を向上させることができる。
【００４５】
図１２、図１３は、他の実施形態による動作を説明するフローチャートである。本例では、先の実施形態と比較して、サーバ１の代わりに各ＰＣ１０が、最も録音品質の高いコンテンツを保有するＰＣ１０を特定する点が異なっている。
【００４６】
各ＰＣ１０（例えばＰＣ１０Ａ）は、コンテンツ特定情報（放送局情報、コンテンツ情報、放送開始日時および放送終了日時）をインターネット経由でサーバ１０に送信する（Ｓ１３１）。サーバ１の制御部２は、コンテンツ特定情報を受信すると（Ｓ２２１）、コンテンツ特定情報に対応する各ＰＣ１０の録音レベル及び各ＰＣのネットワーク上のアドレス情報（例えばＵＲＬ）をインターネット経由でＰＣ１０に送信する（Ｓ２２２）。
【００４７】
例えば、図６を参照して、コンテンツ特定情報が、放送局Ａ、コンテンツａ１、放送日時２０１０年１０月１日１５時００分〜１５時１０分であれば、ＰＣ１０Ａの録音品質がレベル１、ＰＣ１０Ｂの録音品質がレベル５、ＰＣ１０Ｃの録音品質がレベル２である旨の情報が送信される。
【００４８】
ＰＣ１０Ａの制御部１１は、コンテンツ特定情報に対応する各ＰＣ１０の録音品質と、各ＰＣ１０のＵＲＬとを受信し（Ｓ１３２）、コンテンツ特定情報で特定されるコンテンツについて、自身が保有するコンテンツの録音品質よりも高い録音品質のコンテンツを保有する他のＰＣ１０が存在するか否かを判断する（Ｓ１３３）。存在しない場合（Ｓ１３３でＮＯ）、つまりＰＣ１０Ａ自身のコンテンツの録音品質が最も高い場合、他のＰＣ１０のコンテンツを取得して置換する必要がないので、処理を終了する。
【００４９】
自身が保有するコンテンツの録音品質よりも高い録音品質のコンテンツを保有する他のＰＣ１０が存在する場合（Ｓ１３３でＹＥＳ）、制御部１１は、コンテンツ特定情報で特定されるコンテンツであって、録音品質が最も高いコンテンツを保有するＰＣ１０を特定する（Ｓ１３４）。例えば、ＰＣ１０Ａの録音品質がレベル１、ＰＣ１０Ｂの録音品質がレベル５、ＰＣ１０Ｃの録音品質がレベル２である場合、ＰＣ１０Ｂが特定される。ＰＣ１０Ａの制御部１１は、特定したＰＣ１０Ｂとインターネット経由で接続し、コンテンツ特定情報（放送局情報、コンテンツ情報、放送開始日時および放送終了日時）を送信し、コンテンツ特定情報で特定されるコンテンツを送信するように要求する（Ｓ１３４）。
【００５０】
図１１に示すように、ＰＣ１０Ｂの制御部１１は、ＰＣ１０Ａからコンテンツ特定情報を受信し、当該コンテンツの送信要求を受信する（Ｓ１２１）。ＰＣ１０Ｂの制御部１１は、受信したコンテンツ特定情報に対応するコンテンツを放送データファイルから抽出し、インターネット経由でＰＣ１０Ａに送信する（Ｓ１２２）。詳細には、コンテンツ特定情報が、放送局Ａ、コンテンツａ１、放送日時２０１０年１０月１日１５時００分〜１５時１０分であれば、放送データファイルからこのコンテンツに対応する部分のデータが抽出されて、ＰＣ１０Ａに送信される。
【００５１】
図１２に示すように、ＰＣ１０Ａの制御部１１は、ＰＣ１０Ｂからコンテンツを受信し、ＨＤＤ１３に記録している放送データファイルのうち、当該コンテンツの部分を、受信したコンテンツに置換して記録する（Ｓ１３５）。詳細には、コンテンツ特定情報が、放送局Ａ、コンテンツａ１、放送日時２０１０年１０月１日１５時００分〜１５時１０分である場合、制御部１１は、放送データファイルのうち、当該コンテンツを受信したコンテンツに置換して記録する。
【００５２】
以上の処理によって、ＨＤＤ１３に録音した放送データについて、キューシートに記述されているコンテンツ単位で録音品質が最も高いコンテンツを他のＰＣ１０から取得し、置換して記録することによって、録音されている放送データ全体の録音品質を向上させることができる。
【００５３】
以上、本発明の好ましい実施形態を説明したが、本発明はこれらの実施形態には限定されない。キューシートの代わりに番組表が使用され、コンテンツが番組であってもよい。また、コンテンツが所定の時間単位で特定される放送データの部分データであってもよい。上記のサーバ１、ＰＣ１０を動作させるためのコンピュータプログラムまたはそのコンピュータプログラムを記録した記録媒体という形態で提供されてもよい。
【産業上の利用可能性】
【００５４】
本発明は、ＰＣ等のコンテンツ記録装置を含むコンテンツ記録システムに好適に採用され得る。
【符号の説明】
【００５５】
１          サーバ
２          制御部
３          メモリ
４          ＨＤＤ
５          通信部
１０        ＰＣ（コンテンツ記録装置）
１１        制御部
１２        メモリ
１３        ＨＤＤ
１４        チューナ
１５        再生部
１６        操作部
１７        表示部
１８        通信部
【図１】
2012099194.tif 000003
【図２】
2012099194.tif 000004
【図３】
2012099194.tif 000005
【図４】
2012099194.tif 000006
【図５】
2012099194.tif 000007
【図６】
2012099194.tif 000008
【図７】
2012099194.tif 000009
【図８】
2012099194.tif 000010
【図９】
2012099194.tif 000011
【図１０】
2012099194.tif 000012
【図１１】
2012099194.tif 000013
【図１２】
2012099194.tif 000014
【図１３】
2012099194.tif 000015